(57)【特許請求の範囲】
【請求項１】
内部に飲料を保持し、飲料が流出する流出部を有する容器本体と、前記容器本体に対して開閉可能で前記流出部に向かい合う裏面側に取付部を有する蓋と、前記取付部に固定される固定部を有し前記蓋の閉時に前記流出部に栓をするパッキンと、前記固定部を前記取付部に固定するパッキン押え部材と、を備えた飲料容器であって、
前記パッキン押え部材は、前記取付部に対して着脱可能な着脱位置と前記パッキンを固定する固定位置との間で移動可能で、前記パッキン押え部材及び前記取付部のうち少なくともいずれか一方には、前記パッキン押え部材が前記着脱位置と前記固定位置との間を移動する際に、前記固定位置に存在するときよりも前記固定部の弾性変形量が増加するように前記パッキン押え部材を変位させる凸部が設けられている、飲料容器。
【請求項２】
前記取付部は円筒形状で、その外周面の一部に突起を有し、前記パッキン押え部材が、前記固定部を押さえつけながら前記取付部の回りに回転することで、前記パッキン押え部材に設けられた前記凸部が前記突起を回避して前記着脱位置及び前記固定位置の間を移動する請求項１の飲料容器。
【請求項３】
前記固定部の前記パッキン押え部材との接触面には、複数の突出部が設けられている請求項１又は２の飲料容器。
【請求項４】
前記容器本体には、飲料を保持するカップと、前記流出部を有し飲み口が形成されるアダプタとが設けられ、前記カップに対し前記アダプタが着脱可能である請求項１〜３のいずれか一項の飲料容器。
【請求項５】
前記アダプタには、コップの縁部の形状を模した飲み口部が形成されている請求項４の飲料容器。
【発明の詳細な説明】
【技術分野】
【０００１】
本発明は、幼児用の飲料容器に関する。
【背景技術】
【０００２】
幼児用の飲料容器には、着脱可能なアダプタが取り付けられて、幼児の成長に応じた飲み口が設けられている（例えば、特許文献１参照。）。飲み口として人工乳首やストロー等の他にコップ形状を模した飲み口があり、幼児はその飲み口に直接口をつけて飲料容器を傾けながら飲むことができる。
【先行技術文献】
【特許文献】
【０００３】
【特許文献１】特開２００２−３２１７５５号公報
【発明の概要】
【発明が解決しようとする課題】
【０００４】
飲料容器には、持ち運びができるように飲み口に飲料の漏れを防止する漏れ防止機構が設けられていることがあるが、その機構の取外しができないため、部品の交換ができない。さらに、交換可能な部品とする場合には、幼児の誤飲を防止できる構成としなければならない。
【０００５】
そこで、本発明は携帯時の飲み口の漏れを防止する交換可能な部品を有し、かつその部品の誤飲も防止できる飲料容器を提供することを目的とする。
【課題を解決するための手段】
【０００６】
本発明の飲料容器は、内部に飲料を保持し、飲料が流出する流出部（１５）を有する容器本体（２）と、前記容器本体に対して開閉可能で前記流出部に向かい合う裏面側に取付部（２１）を有する蓋（３）と、前記取付部に固定される固定部（３２）を有し前記蓋の閉時に前記流出部に栓をするパッキン（６）と、前記固定部を前記取付部に固定するパッキン押え部材（７）と、を備えた飲料容器であって、前記パッキン押え部材は、前記取付部に対して着脱可能な着脱位置と前記パッキンを固定する固定位置との間で移動可能で、前記パッキン押え部材及び前記取付部のうち少なくともいずれか一方には、前記パッキン押え部材が前記着脱位置と前記固定位置との間を移動する際に、前記固定位置に存在するときよりも前記固定部の弾性変形量が増加するように前記パッキン押え部材を変位させる凸部（４３ａ）が設けられていることにより上記課題を解決する。
【０００７】
本発明の飲料容器によれば、飲料の流出部に対して向かい合う蓋の裏面側に設けられた取付部に、パッキン押え部材によりパッキンが取り付けられる。これにより、蓋を閉めた際に流出部をパッキンで塞ぐことができる。パッキンはパッキン押え部材により固定されるが、凸部が設けられているので、パッキンが弾性変形しないとパッキンの取付け又は取外しができない。凸部がパッキン押え部材及び取付部のうちいずれか一方に設けられていれば、取付部との関係でパッキン押え部材がパッキンを弾性変形させるように変位する。これにより、幼児が容易にパッキンを取り外すことはできない。従って、幼児によるパッキンの誤飲を防ぐができ、かつパッキンを交換することもできる。
【０００８】
本発明の飲料容器の一形態において、前記取付部は円筒形状で、その外周面の一部に突起（２４）を有し、前記パッキン押え部材が、前記固定部を押さえつけながら前記取付部の回りに回転することで、前記パッキン押え部材に設けられた前記凸部が前記突起を回避して前記着脱位置及び前記固定位置の間を移動してもよい。この形態によれば、パッキン押え部材の凸部が取付部の突起を回避するため、パッキンの固定部がパッキン押え部材により押し付けられる。これにより、パッキンが弾性変形されないとパッキン押え部材を着脱位置と固定位置との間で移動させることができないので、幼児による操作を防止して誤飲を防ぐ。
【０００９】
本発明の飲料容器の一形態において、前記固定部の前記パッキン押え部材との接触面には、複数の突出部（３４）が設けられていてもよい。この形態によれば、突出部が弾性変形するのでパッキン押え部材を適切な押込み力で押し付けることができる。突出部の形状や個数を調整することにより、パッキン押え部材の押込み力を幼児には操作不可能な程度に設定することができる。
【００１０】
本発明の飲料容器の一形態において、前記容器本体には、飲料を保持するカップ（４）と、前記流出部を有し飲み口が形成されるアダプタ（５）とが設けられ、前記カップに対し前記アダプタが着脱可能であってもよい。この形態によれば、カップとアダプタとが分離するので取り扱いが容易となり、利便性が向上する。
【００１１】
本発明の飲料容器の一形態において、前記アダプタには、コップの縁部の形状を模した飲み口部（１１）が形成されていてもよい。この形態によれば、コップ形状を模した飲み口部が形成されていても、パッキンにより流出部を塞ぐことで飲料の漏れを防止することができる。しかも、パッキンは交換可能なので利便性が向上する。
【００１２】
なお、以上の説明では本発明の理解を容易にするために添付図面の参照符号を括弧書きにて付記したが、それにより本発明が図示の形態に限定されるものではない。
【発明の効果】
【００１３】
以上、説明したように、本発明の飲料容器においては、飲料の流出部に対して向かい合う蓋の裏面側に設けられた取付部に、パッキン押え部材によりパッキンが取り付けられる。これにより、蓋を閉めた際に流出部をパッキンで塞ぐことができる。パッキンはパッキン押え部材により固定されるが、凸部が設けられているので、パッキンが弾性変形しないとパッキンの取付け又は取外しができない。凸部がパッキン押え部材及び取付部のうちいずれか一方に設けられていれば、取付部との関係でパッキン押え部材がパッキンを弾性変形させるように変位する。これにより、幼児が容易にパッキンを取り外すことはできない。従って、幼児によるパッキンの誤飲を防ぐができ、かつパッキンを交換することもできる。
【図面の簡単な説明】
【００１４】
【図１】本発明の一形態に係る飲料容器の要部断面図。
【図２】キャップの裏面側からみた斜視図。
【図３】パッキンの斜視図。
【図４】パッキン押え部材の斜視図。
【図５】パッキンの取付け手順を説明する図。
【図６】図５の続きを示す図。
【図７】図６の続きを示す図。
【図８】図７の続きを示す図。
【発明を実施するための形態】
【００１５】
図１に本発明の一形態に係る飲料容器の要部断面図を示す。飲料容器１は、幼児が使用して茶やジュース等の飲料を飲むための容器である。飲料容器１は、飲料を保持して幼児が飲むための飲み口が形成された容器本体２と、容器本体２に対して開閉可能に取り付けられる蓋としてのキャップ３とを備えている。容器本体２は、飲料を保持するカップ４と、カップ４に取り付けられて飲み口を形成するアダプタ５とを有する。カップ４は、有底筒状の容器で、内部に飲料を保持可能である。また、カップ４には、幼児が掴み持ちするための持ち手部が設けられていてもよい。カップ４の上部には、アダプタ５を取り付けるための溝部４ａが形成されている。
【００１６】
アダプタ５は、飲料を飲むための飲み口を形成する飲み口部１１と、カップ４の上部を覆って飲料が過剰に流出するのを防ぐ覆い部１２と、キャップ３を開閉可能に支持する支持部１３と、カップ４の溝部４ａと嵌り合う溝部１４とを備えている。飲み口部１１は、コップの縁部を模した形状をしている。幼児は飲み口部１１に口をつけて飲料容器１を傾けて飲料を飲むことで、コップで飲料を飲むトレーニングをすることができる。覆い部１２には、カップ４内部の飲料が流出する流出部１５が設けられている。流出部１５には、覆い部１２を貫通する孔と、その孔の周囲に設けられ、かつ覆い部１２から連続して形成される側壁１５ａとが設けられている。側壁１５ａは、覆い部１２に対して凹むようにして形成されている。孔から飲料が流出するので、飲料容器１を傾けた際に飲料の流出量を抑制できる。支持部１３は、飲み口部１１の対向に設けられ、アダプタ５に対してキャップ３を開閉可能に支持する。支持部１３には、キャップ３の凸部２３が嵌め込まれる凹部が形成され、キャップ３は凹部の軸線方向の回りに回転することにより開閉する。溝部１４は、アダプタ５の内側に設けられ、カップ４の溝部４ａと嵌り合うことにより固定される。また、これによりカップ４に対してアダプタ５が着脱可能となり、ストローや人工乳首等、飲み口が異なるアダプタを付け替えることもできる。
【００１７】
図２にキャップ３の裏面側からみた斜視図を示す。キャップ３には、後述するパッキン６を取り付ける取付部２１と、キャップ３の閉時にキャップ３をアダプタ５に固定する開閉部２２と、アダプタ５の支持部１３の凹部に嵌め込まれる凸部２３とが設けられている。取付部２１は、円筒形状でキャップ３の裏面中心側に位置している。取付部２１の上端部２１ａには、突起としてのふたつの小片２４がそれぞれ対向して設けられている。取付部２１には、パッキン６が取り付けられ、さらに、パッキン６を押さえ込むようにしてパッキン押え部材７が取り付けられる。
【００１８】
図３にパッキン６の斜視図を示す。パッキン６には、アダプタ５の流出部１５に差し込まれて飲料の漏れを防止する凸部３１と、キャップ３の取付部２１に嵌め込まれる固定部３２とが設けられている。パッキン５は、樹脂、ゴム等の弾性体で一体的に形成される。凸部３１は、流出部１５に嵌め込み可能に形成され、側壁１５ａに対して隙間なく密着して飲料の漏れを防止する（図１）。固定部３２は、リング形状で、その内周面３２ａには取付部２１の小片２４を避けて取付部２１に嵌め込めるように凹部３３が設けられている。固定部３２の上面３２ｂには、複数の突出部３４が所定の間隔で設けられている。本形態では、４つの突出部３４が設けられる。固定部３２の下面側には、キャップ３に設けられた突起２５と嵌め合い可能な凹部３５（図１参照）が形成される。取付部２１へのパッキン６の取付け時に突起２５と凹部３５とが嵌め合わされることで、取付部２１を中心とするパッキン６の回転を防止する。
【００１９】
図４にパッキン押え部材７の斜視図を示す。パッキン押え部材７は、リング形状で、パッキン６の固定部３２と同様、内周面７ａには取付部２１の小片２４を避けて取付部２１に嵌め込めるように凹部４１が設けられている。また、パッキン押え部材７の外周面７ｂには、キャップ４の取付部２１にパッキン６及びパッキン押え部材７の嵌め込み後、パッキン押え部材７をその軸線方向の回りに回転させるための一対のつまみ４２が対向して設けられている。つまみ４２は、外周面７ｂに突出して設けられ、取付部２１にパッキン押え部材７を取り付けたときに正逆方向に回転操作ができるように構成されている。パッキン押え部材７は、その回転操作時に取付部２１の小片２４がパッキン押え部材７の上面７ｃをスライド可能なように、上面７ｃが軸線方向に後退してパッキン固定部４３を形成している。パッキン固定部４３には、凸部としての押込み部４３ａ及び押え部４３ｂが段差を生じるように設けられている。パッキン固定部４３は、押え部４３ｂに対し押込み部４３ａが凸となるように段差が形成されている。
【００２０】
キャップ３の開閉部２２は、キャップ３の裏面側に設けられ、キャップ３の閉時にアダプタ５の飲み口部１１に引っ掛かって固定されるように構成される。キャップ３の凸部２３は、アダプタ５の支持部１３に嵌め込み可能に形成される。なお、アダプタ５に対してキャップ３を着脱可能となるように構成されていてもよい。
【００２１】
飲料容器１のパッキン６の取付け手順を説明する。パッキン６は、キャップ３の裏面側に取り付けられる。図５に示すように、パッキン６の固定部３２をキャップ３の取付部２１に嵌める。このとき、固定部３２は、取付部２１の小片２４と固定部３２の凹部３３との位置が一致するように取付部２１に嵌められ、それと同時にキャップ３の突起２５にパッキン６の凹部３５が嵌め込まれる。次に図６に示すようにして、パッキン６が取り付けられた取付部２１に対してパッキン押え部材７をさらに嵌める。パッキン押え部材７もパッキン６と同様、小片２４とパッキン押え部材７の凹部４１との位置が一致するように取付部２１に嵌められる。パッキン押え部材７のこの状態の位置を着脱位置と呼ぶ。
【００２２】
そして、パッキン押え部材７を押し込みながら右回りに回す（図７）。このとき、パッキン押え部材７が押し付けられることにより、パッキン６が弾性変形する。小片２４が押込み部４３ａの上面を移動することにより、固定部３２の弾性変形量が増加するようにパッキン押え部材７を変位させる。特に、固定部３２の上面３２ｂに設けられた突出部３４により、パッキン６の弾性変形を促し、適切な押込み力でパッキン押え部材７を回転させることができる。突出部３４の高さや面積、個数を調整することで、幼児には操作不可能な固さにできる。そのまま、パッキン押え部材７を小片２４が押え部４３ｂに位置するまで回転させる（図８）。パッキン６の復元力によりパッキン押え部材７は小片２４に押し付けられ、押え部４３ｂに小片２４が嵌まり込む固定位置でパッキン押え部材７が回転不可能な状態で固定される。これにより、パッキン６の取付けが終了する。パッキン６の取外し手順は、取付けと逆の手順により行われる。パッキン押え部材７は、押込み部４３ａにより、固定位置に存在するときよりもパッキン６の固定部３２を弾性変形させないと固定位置と着脱位置との間で移動させることができない。従って、パッキン押え部材７を押し込んで回転させるという二段階操作により、幼児によるパッキン６及びパッキン押え部材７の取外しを防ぎ、誤飲を防止する。
【００２３】
本発明は、上述した形態に限定されることなく、種々の形態にて実施することができる。本形態では、押込み部４３ａがパッキン押え部材７に設けられている例で説明したがこれに限られない。例えば、取付部２１に設けられていてもよい。パッキン押え部材７又は取付部２１のいずれか一方に押込み部４３ａが形成されていれば、パッキン押え部材７の移動時にパッキン抑え部材が固定部３２を弾性変形させるように変位することができる。一例として、取付部２１の小片２４のパッキン押え部材７との接触面に、凸部を形成し、その凸部が固定位置でパッキン押え部材７と嵌りあうように、取付部２１及びパッキン押え部材７を構成してもよい。この小片２４に形成された凸部を中央が凸となるような傾斜面、つまり断面がＶ字形状あるいはＵ字形状となるように形成すれば、パッキン押え部材７は固定位置及び着脱位置の間をスムーズに移動できる。
【００２４】
本形態では、パッキン６が弾性体で一体成形された例で説明したがこれに限られず、パッキン６の凸部３１と固定部３２とが別個の素材で形成されていてもよい。本形態では、コップタイプのアダプタ５にパッキン６を取り付ける例を説明したが、これに限られず、スパウトやストロー等からの飲料の流出を防ぐために用いてもよい。パッキン６の凸部３１の形状は、飲み口側の形状に合わせて適宜変更してもよい。容器本体２にカップ４及びアダプタ５が設けられている例で説明したがこれに限られず、例えば、カップ４に流出部１５が設けられていてもよい。つまり、カップ４とアダプタ５とが一体成形されていてもよく、このような場合においても流出部１５を塞ぐ際に本発明のパッキン６及びパッキン押え部材７を適用することができる。小片２４の個数についても２つ設けられた例に限られず、適宜の個数設けてもよい。
【符号の説明】
【００２５】
１  飲料容器
２  容器本体
３  キャップ（蓋）
４  カップ
５  アダプタ
６  パッキン
７  パッキン押え部材
１５  流出部
２１  取付部
３２  固定部
４３ａ  押込み部（凸部）
【図１】
0005399176.tif 000002
【図２】
0005399176.tif 000003
【図３】
0005399176.tif 000004
【図４】
0005399176.tif 000005
【図５】
0005399176.tif 000006
【図６】
0005399176.tif 000007
【図７】
0005399176.tif 000008
【図８】
0005399176.tif 000009